(57)【要約】【課題】  バルコニーや外部廊下のような屋外空間に設けられる屋外床において、屋外床の外周部に設けられる化粧カバーからの漏水を防ぐとともに、床面に流れる水を確実に排水して屋外床の排水機能を向上させ、経済的にも優れた屋外床の防水構造を提供することを目的とする。【解決手段】  屋外床の防水構造１は、建物の屋外方向に突出して設けられる床構造体２と、床構造体２に支持される基部３と、床構造体２の外周側面の外側に配置され、基部３に支持される手摺４と、床構造体２に支持される化粧カバー５と、を備え、手摺４は、基部３に接合される柱部４ａを有しており、化粧カバー５は、基部３と柱部４ａの間に挟まる固定部５ａと、固定部５ａから垂下がり、基部３の外側面を覆う垂部５ｂと、を有する。【選択図】図１
2018091017.tif 000002
【特許請求の範囲】
【請求項１】
建物の屋外方向に突出して設けられる床構造体と、
前記床構造体に支持される基部と、
前記床構造体の外周側面の外側に配置され前記基部に支持される手摺と、
前記床構造体に支持される化粧カバーと、を備え、
前記手摺は、前記基部に接合される柱部を有しており、
前記化粧カバーは、前記基部と前記柱部の間に挟まる固定部と、前記固定部から垂下がり前記基部の外側面を覆う垂部と、を有することを特徴とする屋外床の防水構造。
【請求項２】
前記柱部は、下端に水平なフランジ部を設け、
前記フランジ部と前記固定部と前記基部の上面は、互いに重ね合わせて整合する挿通孔をそれぞれ形成し、
重ね合わされた前記挿通孔にボルトを挿入して前記フランジ部と前記基部とを接合することを特徴とする請求項１に記載の屋外床の防水構造。
【請求項３】
前記フランジ部と前記固定部との間に水密材を介在させることを特徴とする請求項２に記載の屋外床の防水構造。
【請求項４】
前記床構造体は、
建物の屋外方向に突出する複数の腕木と、
前記腕木に敷設される平板状の床版と、を備え、
前記腕木は、屋外方向に向かって下方に傾斜して設置され、
前記床版は、厚さが均一であることを特徴とする請求項１から３のいずれかに記載の屋外床の防水構造。
【請求項５】
前記床構造体は、
隣接する前記床版の間に設置され勾配手段と箱樋とを有する排水箱樋を、さらに備えることを特徴とする請求項４に記載の屋外床の防水構造。
【発明の詳細な説明】
【技術分野】
【０００１】
本発明は、バルコニーや外部廊下のように屋外に設けられる屋外床の防水構造に関する。
【背景技術】
【０００２】
バルコニーや外部廊下のように屋外空間に設けられる屋外床においては、雨水が建物内部に侵入する可能性が高いため、従来より様々な防水対策が講じられてきた。
【０００３】
例えば、特許文献１に記載の発明では、バルコニーなどの屋外床において、屋外床の躯体部材に取り付けられる外装材の継目から侵入する水や、床面上に流れる水の排水方法が提案されている。この発明では、外装材の継目や水切材に設けられるバルコニー壁の支柱貫通部から侵入した水を、外装材内部に設けた水切りによって屋外へ排出する方法が提案されている。また、床を支える床根太を、屋外方向に向かって下方に傾斜するように設置し、屋外方向に向かって流れる床面上の水を、水下に配置する床材の上面に設けた開口部から、床下の排水管に導引して排水する方法が提案されている。さらに、この発明では、床根太に敷設される防水パン内部に樋を設け、防水パン内に水が侵入しても排水できるように工夫されている。
【０００４】
しかしながら、この発明では、水が外装材の裏側に浸入することを前提としているため、外装材の裏側に講じられた各部の防水機能に破損や欠陥が生じた場合、たとえば、水切り材に設けられるバルコニー壁の支柱貫通部から、水が容易に建物内部に侵入する恐れがある。また、根太によって床面には水勾配が設けられているが、床面上の水を集水する床材の開口部の下部には、水を排水管に導引するための勾配が設けられておらず、水が床下で溜まる可能性がある。さらに、防水パンの形状が複雑であるため、製作コストが増加するという問題点がある。
【先行技術文献】
【特許文献】
【０００５】
【特許文献１】特開２００９−２６４０３１号公報
【発明の概要】
【発明が解決しようとする課題】
【０００６】
そこで、本発明は、上述した課題を鑑みてなされたものであって、バルコニーや外部廊下のような屋外空間に設けられる屋外床において、屋外床の外周部に設けられる化粧カバーからの漏水を防ぐとともに、床面に流れる水を確実に排水して屋外床の排水機能を向上させ、経済的にも優れた屋外床の防水構造を提供することを目的とする。
【課題を解決するための手段】
【０００７】
本発明の屋外床の防水構造は、建物の屋外方向に突出して設けられる床構造体と、前記床構造体に支持される基部と、前記床構造体の外周側面の外側に配置され、前記基部に支持される手摺と、前記床構造体に支持される化粧カバーと、を備え、前記手摺は、前記基部に接合される柱部を有しており、前記化粧カバーは、前記基部と前記柱部の間に挟まる固定部と、前記固定部から垂下がり、前記基部の外側面を覆う垂部と、を有することを特徴としている。
【０００８】
本発明の屋外床の防水構造は、前記柱部は、下端に水平なフランジ部を設け、前記フランジ部と前記固定部と前記基部の上面は、互いに重ね合わせて整合する挿通孔をそれぞれ形成し、重ね合わされた前記挿通孔にボルトを挿入して、前記フランジ部と前記基部とを接合することを特徴としている。
【０００９】
本発明の屋外床の防水構造は、前記フランジ部と前記固定部との間に水密材を介在させることを特徴としている。
【００１０】
本発明の屋外床の防水構造は、前記床構造体は、建物の屋外方向に突出する複数の腕木と、前記腕木に敷設される平板状の床版と、を備え、前記腕木は、屋外方向に向かって下方に傾斜して設置され、前記床版は、厚さが均一であることを特徴としている。
【００１１】
本発明の屋外床の防水構造は、前記床構造体は、隣接する前記床版の間に設置され、勾配手段と箱樋とを有する排水箱樋を、さらに備えることを特徴としている。
【発明の効果】
【００１２】
本発明の屋外床の防水構造によると、手摺は、床構造部に支持される基部と接合し、化粧カバーの固定部は、基部と手摺の柱部との間に挟まれるので、化粧カバーに柱部との干渉を避けるための大きな切欠きを設けずに、手摺を床構造体の外側に設置することができる。したがって、水が、化粧カバーと柱部との間から侵入することを防止することができ、防水性を向上させることができる。
【００１３】
本発明の屋外床の防水構造によると、柱部のフランジ部と化粧カバーの固定部と基部の上面には、重ね合わせて整合する挿通孔がそれぞれ設けられており、ボルトによって連通される。したがって、化粧カバーの固定部には、ボルトを挿通する挿通孔のみを設ければよく、柱部との干渉を避けるための大きな切欠きを固定部に設ける必要がないので、防水性を向上させることができる。
【００１４】
本発明の屋外床の防水構造によると、フランジ部と固定部の間に水密材を挟むので、水が、フランジ部と固定部との間から浸入することを防止することができ、防水性を向上させることができる。
【００１５】
本発明の屋外床の防水構造によると、腕木が、屋外方向に向かって下方に傾斜しているので、腕木に載置される床版で水勾配を設ける必要がなく、均一な厚さの床版を腕木の上面に敷設することができる。したがって、押出成型セメント版や軽量気泡コンクリート版、プレキャストコンクリート版のように成型された長尺な床版を使用する場合においても、勾配を設けた特殊な床版を製造する必要がなく、経済性にすぐれた防水構造を構築することができる。
【００１６】
本発明の屋外床の防水構造によると、隣接する床版の間に、排水箱樋を設置するので、傾斜に従って流れる床版上面の水を、排水箱樋に集水することができ、床版上に水が溜まることを防止することができる。また、排水箱樋は勾配手段を有しているので、排水箱樋へ流入した水を確実に排水することができる。
【図面の簡単な説明】
【００１７】
【図１】屋外床の防水構造を示す断面図。
【図２】屋外床の防水構造を示す平面図。
【図３】図２のＸ−Ｘ断面図。
【図４】手摺廻りの屋外床の防水構造を示す分解斜視図。
【図５】図１のＡの部分拡大図。
【図６】床版廻りの屋外床の防水構造を示す分解斜視図。
【図７】支持プレートと腕木の取付け部分を示す部分断面図。
【図８】図１のＢの部分拡大図。
【発明を実施するための形態】
【００１８】
以下、屋外床の防水構造の最良実施形態について各図を参照しつつ説明する。本実施形態の屋外床の防水構造１は、図１に示すように、建物の屋外方向に突出して設けられる床構造体２と、床構造体２に支持され、手摺４と接合される基部３と、床構造体２の外周側面の外側に配置される手摺４と、床構造体２に支持される化粧カバー５と、を備えている。
【００１９】
床構造体２は、図１及び図２に示すように、建物の屋外方向に突出する複数の腕木６の先端部と腕木６と直交して配置される梁材７と、を接合し、梁材７と腕木６との上面に平板状の床版８を敷設している。隣接する床版８の間には、床版８の上面に流れ落ちる水を集水する排水箱樋９を設けている。また、排水箱樋９の上方には、複数の開口を設けたグレーチング蓋１０が敷設される。図示しているように、腕木６の下部には、天井下地材２２と軒裏天井材２３を設置してもよい。
【００２０】
なお、本発明において屋外方向とは、建物外壁２１の屋外に面する外壁面から屋外に突出する方向を指し、屋内方向とは、建物外壁２１の屋外に面する外壁面から屋内に向く方向を指す。
【００２１】
まず、手摺４廻りの防水構造について説明する。基部３は、梁材７に支持され、手摺４と接合される部材である。具体的には、図３〜５に示すように、梁材７と接合される平板状の板部３ａと、板部３ａの幅方向中央部から屋外方向に突出する突出部３ｂと、突出部３ｂの上面に位置し、手摺４と接合される接合部３ｃによって形成されている。板部３ａは、梁材７と接合するボルトＶを挿入するための第一ボルト孔３ｄを、突出部３ｂを挟んで両側に形成している。突出部３ｂは、板部３ａと接合部３ｃを繋ぐ断面視略台形の部分で、接合部３ｃと手摺４を接合した際に、手摺４の荷重を板部３ａに伝達することができる。また、突出部３ｂの屋外方向に突出する長さは、梁材７と手摺４の水平方向の距離によって調整されている。接合部３ｃは、手摺４と接合する平板状の部分で、手摺４と接合するボルトＶを挿通するための第一挿通孔３ｅを形成している。また、第一挿通孔３ｅは、内周部に雌ねじを形成しており、挿通されるボルトＶと螺着することができる。
【００２２】
手摺４は、床構造体２の外周側面の外側に設置される。図１及び図３に示すように、手摺４は、手摺４を支え、基部３と接合する複数の柱部４ａと、柱部４ａの外周を覆う化粧材４ｂと、柱部４ａ及び化粧材４ｂの上端を覆う笠木４ｃと、化粧材４ｂに固定される面材４ｄとで構成されている。柱部４ａは、床構造体２の外周側面の外側に立設する柱材４１と、柱材４１の下端部に形成され、基部３と接合する平板状のフランジ部４２とを有している。フランジ部４２は、接合部３ｃに平行に形成され、基部３と接合するボルトを挿通するための第二挿通孔４ｅを形成している。
【００２３】
化粧カバー５は、図２に示すように、床構造体２の外周に配置される長尺な部材で、図５に示すように、基部３と柱部４ａの間に挟まる固定部５ａと、固定部５ａの屋外方向側の端部から下方へ垂下がり、基部３の外側面を覆う垂部５ｂと、垂部５ｂの下端から下方に延びる凹凸上の水切り５ｃと、水切り５ｃの下端から屋内方向に折曲し、軒天井材の屋外側の端部までを塞ぐ下板部５ｄとによって構成されている。固定部５ａは、接合部３ｃとフランジ部４２と重ね合わせた場合に、第一挿通孔３ｅと第二挿通孔４ｅと合致する位置に第三挿通孔５ｅを形成している。水切り５ｃは、化粧カバー５の屋外側の表面についた水が、階下の軒裏天井まで伝わないようにすることができる。また、化粧カバー５は、図４に示すように、長手方向の一端部に化粧カバー５の厚さ分だけ内側に折曲されたハゼ部５ｆを設けており、隣接する化粧カバー５をハゼ部５ｆに嵌め込んで継ぎ合わせることができる。また、ハゼ部５ｆは、隣接する化粧カバー５を重ね合わせた際に、隣接する化粧カバー５の固定部５ａに設けられる第三挿通孔５ｅと合致する位置に第四挿通孔５ｇを形成している。化粧カバー５は、手摺４を設置する位置で継ぎ合わすことができる。なお、下板部５ｄは、軒天井材を垂部５ｂの下端まで張り延ばした場合には省略することができる。また、水切り５ｃは、垂部５ｂの下端ではなく下板部５ｄに設けてもよい。
【００２４】
図４及び図５に示すように、フランジ部４２と固定部５ａとの間には、水密材１１を挟み込むことができる。水密材１１は、フランジ部４２と固定部５ａとの間から水が浸入することを防止しながら、柱部４ａの建ちや通りを調整することができる。水密材１１は、フランジ部４２と固定部５ａの間に挟まれた際に、第二挿通孔４ｅと第三挿通孔５ｅと合致する第五挿通孔１１ａを形成している。図４では、水密材１１の形状は平面視矩形となっているが、特に限定されることはない。また、水密材１１の材質についても特に限定されないが、水密性、耐久性に優れた硬質樹脂を想定している。
【００２５】
次に、上述した基部３と手摺４及び化粧カバー５を用いた屋外床の防水構造１の施工手順について説明する。まず、図４に示すように、基部３の板部３ａを建物外壁２１と平行に配置された梁材７に当接させ、事前に梁材７に設けられた第二ボルト孔７ａと板部３ａの第二ボルト孔３ｄの位置を合致させた状態で、梁材７の屋外方向側からボルトＶを挿入し、梁材７の屋内方向側に突き出たボルトＶをナットＮと螺合して、基部３を梁材７に固定する。
【００２６】
続いて、図４に示すように、化粧カバー５の固定部５ａを、接合部３ｃの上面に載置し、ハゼ部５ｆに隣接する化粧カバー５の固定部５ａを嵌め込こむ。このとき、第一挿通孔３ｅ及び第三挿通孔５ｅ及び第四挿通孔５ｇが合致するように、固定部５ａとハゼ部５ｆ及び接合部３ｃを重ね合わせる。次に、水密材１１を固定部５ａの屋外側の表面に設置し、水密材１１の上方に柱部４ａのフランジ部４２を配置する。そして、各挿通孔を整合させた状態で、ボルトＶをフランジ部４２の上方から各挿通孔に連通させるとともに、第一挿通孔３ｅの雌ねじと螺合させ、手摺４を基部３と接合させて手摺４廻りの防水構造を構築する。
【００２７】
このように、手摺４は化粧カバー５を貫通しないため、化粧カバー５にはボルトＶを挿入する孔だけを形成すればよく、化粧カバー５に大きな切欠きや開口を設ける必要がないため、防水性を向上させることができる。
【００２８】
また、各挿通孔に挿通されたボルトＶは、第一挿通孔３ｅの雌ねじによって高さを微調整することができる。そして、水密材１１をフランジ部４２と固定部５ａの間に挟み込むので、手摺４と基部３をボルトで接合する際には、柱部４ａの立ちや通りを調整することができ、各所の施工誤差を吸収しながら施工を行うことができる。
【００２９】
次に、床版８廻りの防水構造について説明を行う。前述した床構造体２の腕木６は、図１及び図６に示すように、床版８を支持する長尺な鋼製の部材で、建物内部の梁である屋内梁１２に固定される支持プレート６ａと、支持プレート６ａとボルト接合され、床版８を載置される腕部６ｂと、腕部６ｂの屋外方向の端部に形成され、腕木６と梁材７を連結する連結部６ｃによって構成されている。
【００３０】
支持プレート６ａは、屋内梁１２と腕部６ｂと接合する部材である。図１に示すように、屋内梁１２に溶接によって固定され、腕部６ｂとボルト接合して腕部６ｂを支持する板状のプレート部材で、図１及び図６に示すように、屋内梁１２に固定され、２枚１組の支持プレート６ａが屋外方向へ突出している。支持プレート６ａの屋内梁１２に固定される端部は、建物外壁２１から屋内方向に向かって漸次幅広となっている。また、腕部６ｂと当接する部分には、支持プレート６ａを腕部６ｂに接合するボルトＶを挿入するための第一貫通孔６１が、屋外方向に向かって２つ以上形成されている。この複数の第一貫通孔６１は、図７に示すように、屋外方向側に形成された第一貫通孔６１の中心点が、屋内方向側に形成された第一貫通孔６１の中心点よりも下方に位置するように形成されている。
【００３１】
腕部６ｂは、図１及び図６に示すように、２つのＣ形鋼の断面Ｃ形の背面同士を溶接してＨ形鋼を形成し、支持プレート６ａ及び連結部６ｃと接合するウェブ６２と、ウェブ６２の幅方向の両端から、ウェブ６２に対して垂直に突出するフランジ６３とを有している。ウェブ６２の支持プレート６ａと接合する長手方向の端部には、図７に示すように、支持プレート６ａと接合するボルトＶを挿入するための第二貫通孔６４が２つ以上設けられている。複数の第二貫通孔６４は、中心点同士の上下方向のずれがなく、また、ウェブ６２と支持プレート６ａを当接させた際、第一貫通孔６１と水平方向の距離が整合する位置に形成されている。なお、図６では２つのＣ形鋼を使用して腕部６ｂを形成しているが、上述の機能を果たせるのであれば、単独のＣ形鋼やＨ形鋼を腕部６ｂとして使用してもよい。
【００３２】
連結部６ｃは、図１及び図６に示すように腕部６ｂと梁材７を連結する部材で、腕部６ｂのウェブ６２に溶接される腕接合部６５と、腕接合部６５の屋外方向の側端から、腕接合部６５に対し垂直に突出して梁材７と接合する梁接合部６６とを有している。梁接合部６６には、図５に示すように、梁材７と接合するボルトＶを挿入するための第四貫通孔６７が形成されている。また、図示していないが、第四貫通孔６７は、腕接合部６５を挟んで両側に設けられている。第四貫通孔６７は、梁接合部６６と梁材７を当接させた際に、梁材７に形成される第二ボルト孔７ａと基部３の板部３ａに形成される第一ボルト孔３ｄと整合する位置に形成されている。
【００３３】
床版８は、図１及び図６に示すように、腕木６と梁材７に支持される平板状の床材で、全て均一な厚さを有している。また、排水箱樋９を固定する床版８には、図１に示すように、幅方向の側端に断面Ｌ型の切り欠き８ａが形成される。床版８の材質は、特に限定されないが、押出成型セメント版や軽量気泡コンクリート版、プレキャストコンクリート版のように成型された長尺な床版を想定している。
【００３４】
排水箱樋９は、図１及び図６に示すように、隣接する床版８同士の間に設置され、床版８の上面の水を集水して排水ドレイン１３に導引する箱状の長尺な樋である。排水箱樋９は、水を受ける上方が開放された箱樋９ａと、箱樋９ａの床版８に当接する側板の上端を箱樋９ａの外側に折曲し、床版８に固定される係止部９ｂと、箱樋９ａに設けられ、排水ドレイン１３に接続される排水孔９ｃとで構成されている。図８で示すように、箱樋９ａは、底面を形成する底板９１と、底板９１の各側端から上方に突出し、側面を形成する側板９２とから構成されている。底板９１は、排水孔９ｃに向かって傾斜をつけており、集水した水を確実に排水ドレイン１３に導引することができる。係止部９ｂは、側板９２の長手方向の上端から外側に延出する延出部９３と、延出部９３の長手方向の側端から下方に垂れる垂下部９４と、垂下部９４の下端から外側に延びて床版８に載置される載置部９５とから構成されている。側板部９２の両側に位置する２つの延出部９３の上面は、面一となるように形成され、床版８間に設置される際に、上部にグレーチング蓋１０が敷設される。また、垂下部９４の高さは、延出部９３にグレーチング蓋１０を敷設した際に、グレーチング蓋１０の上面と床版８の上面が略同じ高さとなるように形成されている。載置部９５の表面には、図６に示すように、床版８に固定する固定具１４を挿入するための孔９６が、長手方向に一定の間隔で複数形成されている。
【００３５】
グレーチング蓋１０は、排水箱樋９の上方を覆う鋼製の部材で、排水箱樋９内にゴミが集積するのを防ぎ、排水箱樋内９に歩行者が足を嵌める事故を防止することができる。図６に示すように、グレーチング蓋１０の上面には多数の開口部が設けられ、床版８上の水が、開口部から排水箱樋９内に流れ落ちるようにしている。グレーチング蓋１０の開口部形状に関しては、上述の機能を有していれば特に限定されない。
【００３６】
続いて、上述した床構造体２を使用した床版８廻りの防水構造の施工手順を説明する。まず、事前に屋内梁１２に溶接された２枚の支持プレート６ａの間に腕部６ｂのウェブ６２挿入し、第一貫通孔６１と第二貫通孔６４の位置を整合させる。このとき、上述したように複数の第一貫通孔６１の中心点が上下方向にずれているとともに、複数の第二貫通孔６４の中心点が上下方向にずれていないため、図７に示すように、腕部６ｂは必然的に屋外方向に向かって下方に傾斜することになる。この状態でボルトＶを第一貫通孔６１と第二貫通孔６４に連通させ、ナットＮで締付け固定する。次に、予め腕接合部６５をウェブ６２に溶接した連結部６ｃの梁接合部６６と、腕木６に対して直交に配置される梁材７を当接させ、ボルトＶで接合する。このとき、ボルトＶを第四貫通孔６７と第二ボルト孔７ａ及び基部３に形成される第一ボルト孔３ｄに連通させてナットＮで締付け固定することで、基部３と腕木６とを接合することができる。
【００３７】
次に、図６に示すように、腕木６及び梁材７の上面に床版８を敷設する。このとき、腕木６と腕木６に接合される梁材７は、屋外方向に向かって下方に傾斜しているので、床版８の上面に水勾配が形成される。続いて、排水箱樋９を、隣接する床版８間に設置する。排水箱樋９を設ける位置は特に限定されないが、水勾配の水下に近い位置に設けることが好ましい。まず、図６及び図８に示すように、排水箱樋９の箱樋９ａを床版８の間に嵌め込み、載置部９５の底面を、床版８の切欠き８ａの底面に当接させ、載置部９５の孔９６にビスやネジ等の固定具１４を挿入して締付固定具で床版８に固定し、載置部９５の上方をコーキング材１５で埋めて孔９６からの水の浸入を防止する。そして、排水孔９ｃの下部に排水ドレイン１３を接続し、延出部９３の上部にグレーチング蓋１０を敷設して床版８廻りの防水構造を構築する。
【００３８】
このように、腕木６を屋外方向に向かって下方に傾斜させて設置しているので、床版８で水勾配を形成する必要がなく、均一な厚さの床版８を敷設することができる。したがって、押出成型セメント版や軽量気泡コンクリート版、プレキャストコンクリート版のように成型された長尺な床版８を使用する際、床版８に特別な加工をする必要がなく、経済的にすぐれた防水構造を構築することができる。また、床版８間に勾配を有する排水箱樋９を設けているので、床版８の上面に流れ落ちる水を確実に排水させることができる。また、排水箱樋９は、グレーチング蓋１０を外せば樋内部を目視確認することができ、施工後のメンテナンスを容易に行うことができる。
【００３９】
なお、ここでは、床構造体２の下部に柱が立設されていない場合を想定して説明を行ったが、本願の屋外床の防水構造１は、これに限定されることは無く、階下に柱を立設している場合や、屋上階の陸屋根においても使用する事ができる。
【００４０】
また、本発明の実施の形態は上述の形態に限ることなく、本発明の思想の範囲を逸脱しない範囲で適宜変更することができることは云うまでもない。
【産業上の利用可能性】
【００４１】
この発明は、バルコニーや外部廊下のように屋外に設けられる屋外床に好適に使用することができる。
【符号の説明】
【００４２】
１    屋外床の防水構造
２    床構造部材
３    基部
３ｅ  第一挿通孔
４    手摺
４ａ  柱部
４２  フランジ部
４ｅ  第二挿通孔
５    化粧カバー
５ａ  固定部
５ｂ  垂部
５ｅ  第三挿通孔
６    腕木
８    床版
９    排水箱樋
９ａ  箱樋
１１  水密材
Ｖ    ボルト
【図１】
2018091017.tif 000003
【図２】
2018091017.tif 000004
【図３】
2018091017.tif 000005
【図４】
2018091017.tif 000006
【図５】
2018091017.tif 000007
【図６】
2018091017.tif 000008
【図７】
2018091017.tif 000009
【図８】
2018091017.tif 000010
【手続補正書】
【提出日】平成30年3月29日(2018.3.29)
【手続補正１】
【補正対象書類名】特許請求の範囲
【補正対象項目名】全文
【補正方法】変更
【補正の内容】
【特許請求の範囲】
【請求項１】
建物の屋外方向に突出する複数の腕木と、該腕木の先端よりも屋外側に該腕木と直交して配置され、該腕木の先端部と接合される梁材と、を有する床構造体と、
前記梁材の屋外側の側面に固定され屋外方向へ突出する基部と、
前記床構造体の外周側面の外側に配置され前記基部に支持される手摺と、
前記床構造体に支持される化粧カバーと、を備え、
前記手摺は、前記基部の上方で前記基部に接合される水平なフランジ部を下端に設けた柱部を有しており、
前記化粧カバーは、前記基部と前記フランジ部との間に挟まる固定部と、前記固定部から垂下がり前記基部の外側面を覆う垂部と、を有し、
前記フランジ部と前記固定部と前記基部の上面は、互いに重ね合わせて整合する挿通孔をそれぞれ形成され、
重ね合わされた前記挿通孔にボルトを挿入して前記フランジ部と前記基部とを接合することを特徴とする屋外床の防水構造。
【請求項２】
前記フランジ部と前記固定部との間に水密材を介在させることを特徴とする請求項１に記載の屋外床の防水構造。
【請求項３】
前記床構造体は、
前記腕木に敷設される平板状の床版を更に有し、
前記腕木は、屋外方向に向かって下方に傾斜して設置され、
前記床版は、厚さが均一であることを特徴とする請求項１又は２に記載の屋外床の防水構造。
【請求項４】
前記床構造体は、
隣接する前記床版の間に設置され勾配手段と箱樋とを有する排水箱樋を、さらに備えることを特徴とする請求項３に記載の屋外床の防水構造。
【手続補正２】
【補正対象書類名】明細書
【補正対象項目名】０００７
【補正方法】変更
【補正の内容】
【０００７】
本発明の屋外床の防水構造は、建物の屋外方向に突出する複数の腕木と、該腕木の先端よりも屋外側に該腕木と直交して配置され、該腕木の先端部と接合される梁材と、を有する床構造体と、前記梁材の屋外側の側面に固定され屋外方向へ突出する基部と、前記床構造体の外周側面の外側に配置され、前記基部に支持される手摺と、前記床構造体に支持される化粧カバーと、を備え、前記手摺は、前記基部の上方で前記基部に接合される水平なフランジ部を下端に設けた柱部を有しており、前記化粧カバーは、前記基部と前記フランジ部との間に挟まる固定部と、前記固定部から垂下がり、前記基部の外側面を覆う垂部と、を有し、前記フランジ部と前記固定部と前記基部の上面は、互いに重ね合わせて整合する挿通孔をそれぞれ形成され、重ね合わされた前記挿通孔にボルトを挿入して前記フランジ部と前記基部とを接合することを特徴としている。
【手続補正３】
【補正対象書類名】明細書
【補正対象項目名】０００８
【補正方法】削除
【補正の内容】
【手続補正４】
【補正対象書類名】明細書
【補正対象項目名】００１０
【補正方法】変更
【補正の内容】
【００１０】
本発明の屋外床の防水構造は、前記床構造体が、前記腕木に敷設される平板状の床版を更に有し、前記腕木は、屋外方向に向かって下方に傾斜して設置され、前記床版は、厚さが均一であることを特徴としている。
【手続補正５】
【補正対象書類名】明細書
【補正対象項目名】００１２
【補正方法】変更
【補正の内容】
【００１２】
本発明の屋外床の防水構造によると、手摺は、床構造部に支持される基部と接合し、化粧カバーの固定部は、基部と手摺の柱部との間に挟まれるので、化粧カバーに柱部との干渉を避けるための大きな切欠きを設けずに、手摺を床構造体の外側に設置することができる。したがって、水が、化粧カバーと柱部との間から侵入することを防止することができ、防水性を向上させることができる。また、柱部のフランジ部と化粧カバーの固定部と基部の上面には、重ね合わせて整合する挿通孔がそれぞれ設けられており、ボルトによって連通される。したがって、化粧カバーの固定部には、ボルトを挿通する挿通孔のみを設ければよく、柱部との干渉を避けるための大きな切欠きを固定部に設ける必要がないので、防水性を向上させることができる。
【手続補正６】
【補正対象書類名】明細書
【補正対象項目名】００１３
【補正方法】削除
【補正の内容】